(57)【特許請求の範囲】
【請求項１】
床面上に立てた状態で設置される第一パネル体および第二パネル体と、
前記第一パネル体に対し、前記第二パネル体を、前記第一パネル体の一方の側面に沿う第一の位置と前記第一パネル体の前記一方の側面から離間する方向に移動した第二の位置との間で相対的に回動可能に連結する連結部と、を備え、
前記第一パネル体の前記一方の側面を形成する表層部は、前記第二パネル体が前記第二の位置から前記第一の位置に向かって相対的に回動したときに前記表層部に突き当たる前記第二パネル体側の部位よりも軟質な材料で形成されていることを特徴とする間仕切り装置。
【請求項２】
前記第二パネル体には、該第二パネル体と前記連結部とを連結するパネル固定部が設けられ、
前記第二パネル体側の部位は、前記パネル固定部であることを特徴とする請求項１に記載の間仕切り装置。
【請求項３】
前記第一パネル体の側端部に、前記第一パネル体の内方に向けて凹んだ溝が形成され、
前記連結部は前記溝内に固定されていることを特徴とする請求項１または２に記載の間仕切り装置。
【請求項４】
前記連結部は、前記第一パネル体に対して前記第二パネル体を回動自在に支持する支持軸を備え、
前記支持軸は、前記溝の外方であって、前記溝と前記第一パネル体の前記一方の側面との間に配置されていることを特徴とする請求項１から３のいずれか一項に記載の間仕切り装置。
【請求項５】
前記支持軸は、前記第一パネル体の側端部に近接して配置されていることを特徴とする請求項４に記載の間仕切り装置。
【請求項６】
前記第二パネル体は、透光性を有する材料で形成されていることを特徴とする請求項１から５のいずれか一項に記載の間仕切り装置。
【請求項７】
前記第一パネル体は、
パネル状の基材と、
前記基材の少なくとも一方の面に設けられた前記表層部と、を備え、
前記表層部は、
前記第二パネル体側の部位よりも軟質な材料で形成された軟性材と、
前記軟性材を覆う表皮材と、を有する
ことを特徴とする請求項１から６のいずれか一項に記載の間仕切り装置。
【請求項８】
請求項１から７のいずれか一項に記載の間仕切り装置と、
前記第一パネル体の他方の側面側において、前記第一パネル体の高さの中間部に設けられた天板と、
を備えることを特徴とする什器。
【請求項９】
前記第一パネル体は、前記天板に利用者が対向する前端部以外の外周部を取り囲むように設けられ、
前記第二パネル体は、前記天板の前記前端部の前方の空間を仕切る前記第二の位置と、前記第一の位置との間で、回動可能とされていることを特徴とする請求項８に記載の什器。
【発明の詳細な説明】
【技術分野】
【０００１】
本発明は、間仕切り装置、およびそれを備えた什器に関する。
【背景技術】
【０００２】
オフィスや公共施設、商業施設等の空間においては、施設内に形成された大空間の一部を小空間に区画することによって、空間利用における自由度を高めることが求められている。そこで、空間内に、床面上に設置したパネル体からなる間仕切り装置（パーティション）を設けることが広く行われている。間仕切り装置を設けることにより、周囲からの視線や音を、ある程度遮ることができる。
【０００３】
このような間仕切り装置を複数枚のパネル体で構成し、互いに隣接するパネル体どうしの連結部分において、一方のパネル体と他方のパネル体とを所定の角度をなすように連結することがある。このようにして、間仕切り装置を構成するパネル体のレイアウトの自由度を高めることで、空間内を多種多様に区画することができる。
【０００４】
特許文献１には、複数枚のパネル体を回動可能に連結し、互いに隣接するパネル体同士の角度を任意に変更することで、間仕切り装置のレイアウトの自由度をさらに高める構成が開示されている。
【先行技術文献】
【特許文献】
【０００５】
【特許文献１】特許第３０７２５４７号公報
【発明の概要】
【発明が解決しようとする課題】
【０００６】
上記したように互いに隣接するパネル体同士を回動自在に連結する間仕切り装置においては、パネル体は、ストッパやその他の部材に突き当たることで、パネル体の回動範囲が規制される。パネル体同士の連結部には、パネル体がストッパやその他の部材に突き当たる生じる衝撃が作用する。この衝撃による力を受けるため、連結部は強固に構成する必要があり、連結部が大型化する傾向がある。
【０００７】
また、パネル体が、その回動範囲の端部においてストッパやその他の部材に突き当たるときには、その衝撃により、騒音が生じることがある。
そこでなされた本発明の目的は、パネル体同士の連結部を簡便な構成としつつ、パネル体を回動させたときに衝撃や騒音が生じるのを抑えることのできる間仕切り装置、什器を提供することである。
【課題を解決するための手段】
【０００８】
本発明は、上記課題を解決するため、以下の手段を採用する。
この発明に係る間仕切り装置は、床面上に立てた状態で設置される第一パネル体および第二パネル体と、前記第一パネル体に対し、前記第二パネル体を、前記第一パネル体の一方の側面に沿う第一の位置と前記第一パネル体の前記一方の側面から離間する方向に移動した第二の位置との間で相対的に回動可能に連結する連結部と、を備え、前記第一パネル体の前記一方の側面を形成する表層部は、前記第二パネル体が前記第二の位置から前記第一の位置に向かって相対的に回動したときに前記表層部に突き当たる前記第二パネル体側の部位よりも軟質な材料で形成されていることを特徴とする。
【０００９】
このように表層部側が軟質であるので、第二パネル体が前記第一パネル体に沿う第一の位置に向かって相対的に回動し、第一パネル体の表層部に第二パネル体側の部位が突き当たった際の衝撃を抑えることができる。
また、第二パネル体側の部位が第一パネル体の表層部に突き当たるときの衝撃を表層部で抑えることによって、表層部で衝撃を抑えない構成に比較し、連結部に要求される強度が低くて済み、連結部を簡便な構造とすることができる。
【００１０】
また、この発明に係る間仕切り装置は、前記第二パネル体には、該第二パネル体と前記連結部とを連結するパネル固定部が設けられ、前記第二パネル体側の部位は、前記パネル固定部であることが好ましい。
このように構成することで、第一パネル体の表面層に突き当たるのは、第二パネル体に設けられた連結部である。よって、第二パネル体自体が第一パネル体に突き当たり、第二パネル体が損傷したりすることを抑制することができる。
【００１１】
また、この発明に係る間仕切り装置は、上記間仕切り装置において、前記第一パネル体の側端部に、前記第一パネル体の内方に向けて凹んだ溝が形成され、前記連結部は前記溝内に固定されているようにしてもよい。
このように、連結部を溝内に固定することにより、連結部を第一パネル体に容易かつ確実に固定することができる。また、第一パネル体に対する連結部の固定部位が露出するのを抑えることができ、外観を向上させることができる。
【００１２】
また、この発明に係る間仕切り装置は、上記間仕切り装置において、前記連結部は、前記第一パネル体に対して前記第二パネル体を回動自在に支持する支持軸を備え、前記支持軸は、前記溝の外方であって、前記溝と前記第一パネル体の前記一方の側面との間に配置されているようにしてもよい。
このように構成することで、溝内に連結部を固定した構成においても、第二パネル体を第一パネル体の一方の側面に沿う第一の位置と第二の位置との間で、第一のパネル体に干渉することなく回動させることができる。
【００１３】
また、この発明に係る間仕切り装置は、上記間仕切り装置において、前記支持軸は、前記第一パネル体の側端部に近接して配置されているようにしてもよい。
このように構成することで、支持軸と第一パネル体の側端部との隙間を小さくすることができる。
【００１４】
また、この発明に係る間仕切り装置は、上記間仕切り装置において、前記第二パネル体は、透光性を有する材料で形成されているようにしてもよい。
このように構成することで、第二パネルの一方側および他方側において、明るさを確保しつつ、視線を遮ることができる。
【００１５】
また、この発明に係る間仕切り装置は、上記間仕切り装置において、前記第一パネル体は、パネル状の基材と、前記基材の少なくとも一方の面に設けられた前記表層部と、を備え、前記表層部は、前記第二パネル体側の部位よりも軟質な材料で形成された軟性材と、前記軟性材を覆う表皮材と、を有するようにしてもよい。
このように構成することで、第二パネル体側よりも軟質な表層部を容易に形成することができる。また表皮材の色彩や質感を選択することで、使用者の好みに合わせた第一パネル体を形成することができる。
【００１６】
また、この発明に係る什器は、上記したような間仕切り装置と、前記第一パネル体の他方の側面側において、前記第一パネル体の高さの中間部に設けられた天板と、備えることを特徴とする。
このように構成することで、天板を、例えばデスクやカウンター、物品を収納したり展示したりする台等として用いることができる。
【００１７】
また、この発明に係る什器は、上記什器において、前記第一パネル体は、前記天板に利用者が対向する前端部以外の外周部を取り囲むように設けられ、前記第二パネル体は、前記天板の前記前端部の前方の空間を仕切る前記第二の位置と、前記第一の位置との間で、回動可能とされているようにしてもよい。
このように構成することで、第一パネル体により、天板上に、周囲から比較的閉鎖されて音や光が侵入するのを抑えたスペースを形成することができる。さらに、第一の位置と第二の位置との間で回動可能な第二パネル体によって、天板の前方の空間を開閉自在に仕切ることが可能となる。これにより、天板の前方の空間に側方から出入りするための動線を容易に確保することができる。また、天板上の空間や天板の前方の空間への光や音の進入度合いを、利用者の好みで調整することが可能となる。
【発明の効果】
【００１８】
この発明に係る間仕切り装置、什器によれば、パネル体同士の連結部を簡便な構成としつつ、パネル体を回動させたときに衝撃や騒音が生じるのを抑えることが可能となる。
【図面の簡単な説明】
【００１９】
【図１】この発明の一実施形態に係る間仕切り装置、什器の全体構成を示す斜視図である。
【図２】上記什器の平面図である。
【図３】上記間仕切り装置を形成するパネル体の構成を示す斜視展開図である。
【図４】上記間仕切り装置を構成する第一パネル体と第二パネル体との連結部の構成を示す平面図である。
【図５】上記連結部の構成を示す斜視展開図である。
【発明を実施するための形態】
【００２０】
以下、添付図面を参照して、本発明による間仕切り装置、什器を実施するための形態を説明する。しかし、本発明はこれらの実施形態のみに限定されるものではない。
【００２１】
図１は、この発明の一実施形態に係る間仕切り装置、什器の全体構成を示す斜視図である。図２は、上記什器の平面図である。
図１、図２に示すように、ブース型什器（什器）１は、間仕切り部（間仕切り装置）１０と、天板６０と、サイドパネル７０と、を備えている。
なお、以下の説明において、利用者Ｕ（図２参照）が、ブース型什器１の天板６０に対向する側を前方、その反対側を後方、前方と後方を結ぶ方向に対して水平面内で直交する方向を幅方向と称する。
【００２２】
（間仕切り部）
間仕切り部１０は、平面視すると、背部直線状部１０ａと、背部直線状部１０ａの両側に形成された側部湾曲部１０ｂ，１０ｂと、側部湾曲部１０ｂ，１０ｂのそれぞれに連続して、背部直線状部１０ａに直交する方向に直線状に延びる側部直線状部１０ｃ，１０ｃと、を備えている。このような間仕切り部１０は、例えば同一の平面視湾曲形状を有した２枚のパネル体（第一パネル体）１１，１１を幅方向に対称に配置し、互いに連結することで形成されている。
【００２３】
（パネル体）
図３は、上記間仕切り装置を形成するパネル体の構成を示す斜視展開図である。なお、この図３おいては、パネル体１１を平板状として図示しているが、実際のパネル体１１は、図１、図２に示すように、平面視湾曲している。その場合、後述するフレーム２０の上下の枠材２１Ｃ，２１Ｄを，パネル体１１の形状に合わせて湾曲させる。
図３に示すように、間仕切り部１０を構成する各パネル体１１は、パネル基材（基材）１２と、パネル基材１２の両面に沿って設けられたクッション材（軟性材）１３と、パネル基材１２およびクッション材１３を覆う表皮材１４と、固定部材３０と、を備えている。
【００２４】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２５】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００２６】
（フレーム）
この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト（不図示）、あるいは溶接、接着等によって接合されている。これら枠材２１Ａ，２１Ｂ，２１Ｃ，２１Ｄによって、全体として矩形状をなしたフレーム２０が形成されている。
【００２７】
各枠材２１Ａ，２１Ｂ，２１Ｃ，２１Ｄは、断面略Ｕ字状で、パネル体１１の内方に向けて凹んだ溝２５を有している。このようにして、パネル体１１は、その外周端部に沿って連続し、パネル基材１２の内方に向けて凹んだ溝２５を有している。
【００２８】
フレーム２０および芯材１５を覆うように、芯材１５の両面には、シート状のベースシート１８が設けられている。ベースシート１８は、例えばボール紙等から形成されている。
【００２９】
（クッション材）
クッション材１３は、パネル基材１２の表面を形成するベースシート１８に沿って設けられている。クッション材１３は、ベースシート１８を介して、芯材１５の全体を覆うように設けられている。
このクッション材１３は、柔軟性および弾性を有した材料、例えば発泡ウレタン材等から形成されている。
【００３０】
クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
各貫通孔１６は、クッション材１３においてパネル基材１２とは反対側を向く外表面１３ｆからパネル基材１２側に対向する対向面１３ｇまで、クッション材１３の厚さ方向に貫通して形成されている。
【００３１】
（表皮材）
表皮材１４は、クッション材１３の全体を覆うよう設けられている。表皮材１４が、クッション材１３に形成された複数の貫通孔１６に沿うことで、パネル体１１の表面には、複数の長円形状の凹部１７（図１参照）が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。
【００３２】
上記クッション材１３および表皮材１４により、パネル基材１２の表面を覆う、パネル体１１の表面を形成する表層部１９が構成されている。
【００３３】
（固定部材）
固定部材３０は、溝２５に嵌め込まれている。クッション材１３および表皮材１４の外周端部は、溝２５の内側に巻き込まれている。固定部材３０は、溝２５内側に巻き込まれたクッション材１３および表皮材１４の外周端部を、溝２５の内周面と固定部材３０の外周面との間に挟み込んでいる。これにより、クッション材１３および表皮材１４の外周端部をフレーム２０に固定している。
【００３４】
ここで、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００３５】
パネル体１１の上部両端部においては、コーナー部固定部材３０Ｃは、溝２５に対し、コーナーキャップ４０によって固定されている。
コーナーキャップ４０は、ボルト４５により、コーナー部固定部材３０Ｃ、枠材２１Ｃ、ブラケット２２と一体に締結されている。
【００３６】
また、パネル体１１の下部両端部のコーナー部に配置されるコーナー部固定部材３０Ｃには、下方に向けて延びる支持脚取付部５０が形成されている。この支持脚取付部５０の下端部には、図１に示すように、床面に接地するキャスター部材５１が取り付けられている。これにより、パネル体１１、およびこのパネル体１１によって構成されたブース型什器１は、床面上で移動可能とされている。
【００３７】
間仕切り部１０において互いに隣接するパネル体１１，１１は、一方のパネル体１１の側端部１１ｔと他方のパネル体１１の側端部１１ｔとが、図示しない連結部材によって互いに連結されている。
【００３８】
（天板）
図１、図２に示すように、天板６０は、間仕切り部１０の湾曲方向内方に配置されている。天板６０は、一定の厚さを有した板状で、その平面視形状は、後端部（外周部）６０ｒおよびその両側の側端部（外周部）６０ｓ，６０ｓが、間仕切り部１０の背部直線状部１０ａと、側部湾曲部１０ｂ，１０ｂと、側部直線状部１０ｃ，１０ｃとに沿うよう形成されている。
また、天板６０の前端部６０ｆは、幅方向両側に形成された膨出部６１，６１と、膨出部６１，６１の間に形成された凹入部６２とを備えている。
膨出部６１は、側端部６０ｓから連続して、利用者Ｕが着座する側である前方に向かって膨出し、天板６０の幅方向内方に向かって湾曲して形成されている。
凹入部６２は、幅方向両側の膨出部６１，６１から連続し、利用者Ｕが着座する側とは反対側の後方に向かって凹入して形成されている。
【００３９】
天板６０は、間仕切り部１０の上端部１０ｔと下端部１０ｓとの中間部の高さに配置されている。天板６０は、支柱６３および支持ブラケット６５により支持されている。
【００４０】
支柱６３は、天板６０の幅方向両側の側端部６０ｓ，６０ｓの下側に配置されている。各支柱６３は、間仕切り部１０を構成するパネル体１１の内側面１１ｆに沿って上下方向に延びるよう設けられている。支柱６３は、その上下の端部が、パネル体１１に図示しないステー等を介して固定されている。支柱６３の上端部には、パネル体１１の内側面１１ｆから間仕切り部１０の湾曲方向内方に向けて突出する支持プレート６４が一体に設けられている。支持プレート６４は、天板６０の下面に、図示しないビス等によって固定されている。
【００４１】
支持ブラケット６５は、天板６０の幅方向両側の側端部６０ｓ，６０ｓおよび後端部６０ｒの下側にそれぞれ設けられている。各支持ブラケット６５は、間仕切り部１０を構成するパネル体１１に図示しないステー等を介して固定されている。支持ブラケット６５は、パネル体１１の内側面１１ｆから間仕切り部１０の湾曲方向内方に向けて突出するよう設けられている。支持ブラケット６５は、天板６０の下面に図示しないビス等によって固定されている。
【００４２】
（サイドパネル）
図４は、間仕切り装置を構成する第一パネル体と第二パネル体との連結部の構成を示す平面図である。図５は、連結部の構成を示す斜視展開図である。
図４、図５に示すように、サイドパネル７０は、パネル本体（第二パネル体）７１と、ヒンジ部材（連結部）７２と、を備えている。
【００４３】
パネル本体７１は、平板状で、例えば樹脂系材料、ガラス系材料、金属系材料等から形成されている。パネル本体７１は、透明または半透明で、光透過性を有しているのが好ましい。パネル本体７１は、上下方向に長い長方形状で、例えば、間仕切り部１０を構成するパネル体１１と略同じ高さを有している。
パネル本体７１の一端部には、上下方向に間隔をあけて貫通孔７１ｈ，７１ｈが形成されている。
【００４４】
図４に示すように、ヒンジ部材７２は、ヒンジロッド７３と、ブッシュ７４と、軸受部材７５と、パネル支持部材７６と、パネル固定部材（パネル固定部）７７、パネル固定部材７８と、を備えている。ここで、ブッシュ７４、軸受部材７５、パネル支持部材７６、パネル固定部材７７，７８は、ヒンジロッド７３の上下にそれぞれ設けられている。
【００４５】
ヒンジロッド７３は、上下方向に延びる円筒状をなしている。ヒンジロッド７３は、例えば金属系材料等から形成されている。
【００４６】
ブッシュ７４は、上下方向に延びる貫通孔７４ｈを有した円筒状で、上下方向の一端部に外周側に拡径したフランジ部７４ｓが一体に形成されている。このブッシュ７４は、フランジ部７４ｓとは反対側の他端部７４ｔ側が、ヒンジロッド７３の上下端部７３ａ，７３ｂにそれぞれ挿入される。ブッシュ７４は、フランジ部７４ｓがヒンジロッド７３の上下端部７３ａ，７３ｂに突き当たるまで押し込まれる。
ブッシュ７４は、ヒンジロッド７３および後述する支持軸８１よりも軟質で摩擦係数の小さい樹脂系材料等によって形成されている。
【００４７】
軸受部材７５は、例えば樹脂系材料、金属系材料等から形成され、ベース部７９と、固定プレート部８０と、支持軸８１と、を一体に備えている。
【００４８】
ベース部７９は、平面視Ｌ字状をなした平板状で、ヒンジロッド７３の中心軸方向（上下方向）に直交する水平面内に位置するよう設けられている。ベース部７９は、角部７９ｃから一方向に延びる第一プレート部７９ａと、角部７９ｃから第一プレート部７９ａが延びる一方向に直交する他方向に延びる第二プレート部７９ｂと、を備えている。
【００４９】
固定プレート部８０は、ベース部７９の第一プレート部７９ａの先端部に連続している。固定プレート部８０は、板状で、第一プレート部７９ａが延びる一方向に直交する面内に位置するよう形成されている。この固定プレート部８０には、ボルト挿通孔８０ｈが形成されている。
【００５０】
支持軸８１は、ベース部７９の第二プレート部７９ｂの先端部に設けられている。支持軸８１は、第二プレート部７９ｂが位置する平面に直交する方向に延びるよう設けられている。支持軸８１は円柱状で、その外径がブッシュ７４の貫通孔７４ｈの内径よりもわずかに小さく形成されている。
この支持軸８１は、前記固定プレート部８０に対し、固定プレート部８０が位置する面に直交する方向と、固定プレート部８０が位置する面に平行な方向とに、それぞれオフセットして配置されている。
【００５１】
この軸受部材７５は、支持軸８１が、ヒンジロッド７３の上下端部７３ａ，７３ｂにそれぞれ挿入されたブッシュ７４の貫通孔７４ｈ内に挿入される。また、図４に示すように、固定プレート部８０は、パネル体１１の側端部１１ｔにおいて、溝２５にコーナー部固定部材３０Ｃを固定するコーナーキャップ４０に突き当てた状態で、ボルト８２により締結固定されている。このボルト８２は、固定プレート部８０のボルト挿通孔８０ｈを通し、コーナーキャップ４０に形成された雌ネジ孔３０ｈにねじ込まれている。
ここで、コーナーキャップ４０に固定された軸受部材７５において、支持軸８１は、溝２５の外部に位置している。さらに、支持軸８１は、パネル体１１のパネル体１１の側端部１１ｔに近接し、かつ溝２５と、パネル体１１の外側面（一方の側面）１１ｇとの中間部に位置している。
【００５２】
図４、図５に示すように、このようにしてパネル体１１の側端部１１ｔに軸受部材７５が固定されることにより、ヒンジロッド７３は、上下端部が、ブッシュ７４，７４を介して支持軸８１，８１により、その中心軸周りに回動自在に支持されている。
【００５３】
パネル支持部材７６は、ヒンジロッド７３の上下にそれぞれ設けられている。パネル支持部材７６は、鋼板を平断面視Ｌ字状に折り曲げて形成したもので、ヒンジロッド７３の外周面から接線方向に延びる基部７６ａと、基部７６ａの先端部から基部７６ａに直交する方向に延びるパネル支持部７６ｂと、を一体に備える。パネル支持部７６ｂには、その両面を貫通する貫通孔７６ｈが形成されている。
【００５４】
パネル固定部材７７，７８は、パネル支持部材７６のパネル支持部７６ｂを一方の側と他方の側とで挟み込むように配置されている。
一方のパネル固定部材７７は、パネル支持部７６ｂに平行なベースプレート部７７ｃと、ベースプレート部７７ｃの外周部から他方のパネル固定部材７８側に立ち上がる立ち上がり壁部７７ｄと、を一体に備えている。パネル固定部材７７の一端側には、ベースプレート部７７ｃの両面を貫通するボルト挿通孔７７ｈが形成されている。ベースプレート部７７ｃには、ボルト挿通孔７７ｈの外周側に、後述するボルト８３の頭部８３ａを収める凹部７７ｅが形成されている。また、パネル固定部材７７の他端側には、立ち上がり壁部７７ｄよりもさらにパネル固定部材７８側に突出した突起部７７ｆ，７７ｆが形成されている。
パネル固定部材７７は、例えば樹脂系材料、金属系材料等、パネル体１１の表層部１９よりも硬質な材料から形成されている。
【００５５】
他方のパネル固定部材７８は、例えば樹脂系材料、金属系材料等から形成され、パネル支持部７６ｂに平行なベースプレート部７８ｃと、ベースプレート部７８ｃの外周部からパネル固定部材７７側に立ち上がる立ち上がり壁部７８ｄと、を一体に備えている。ベースプレート部７８ｃにおいて、パネル固定部材７７に対向する側には、円柱状のボス７８ｅが形成されている。このボス７８ｅには、雌ねじ穴７８ｈが形成されている。また、パネル固定部材７８の他端側には、立ち上がり壁部７８ｄよりもさらにパネル固定部材７８側に突出した突起部７８ｆ，７８ｆが形成されている。
【００５６】
このようなパネル支持部材７６、パネル固定部材７７，７８に対し、パネル本体７１は、パネル支持部材７６に沿わせた状態で、パネル固定部材７７とパネル固定部材７８との間に挟み込まれて固定される。パネル固定部材７７とパネル固定部材７８とは、突起部７７ｆと突起部７８ｆとが互いに突き当たる。そして、パネル固定部材７７の立ち上がり壁部７７ｄと、パネル固定部材７８の立ち上がり壁部７８ｄは、パネル本体７１の両面に突き当たる。パネル固定部材７８のボス７８ｅは、パネル支持部材７６の貫通孔７６ｈ、およびパネル本体７１の貫通孔７１ｈに挿入される。そして、パネル固定部材７７のボルト挿通孔７７ｈに、ボルト８３の雄ネジ部８３ｂを挿入し、ボス７８ｅの雌ねじ穴７８ｈにねじ込む。これによって、ボルト８３の頭部８３ａとボス７８ｅとの間に生じる締結力により、パネル本体７１は、ヒンジ部材７２を介し、パネル体１１の側端部１１ｔに回動自在に連結されている。
【００５７】
このようにして、図２に示すように、サイドパネル７０は、間仕切り部１０の側部直線状部１０ｃの延長線上に位置する閉状態位置Ｐ２と、間仕切り部１０の側部直線状部１０ｃにおいて天板６０が設けられている側とは反対側の、パネル体１１の外側面１１ｇに沿う開状態位置（第一の位置）Ｐ１との間で、開閉自在とされている。
【００５８】
図４に示すように、サイドパネル７０が開状態位置Ｐ１にあるときには、パネル本体７１を支持するパネル固定部材７７が、間仕切り部１０の側部直線状部１０ｃを形成するパネル体１１に突き当たる。つまり、サイドパネル７０は、パネル固定部材７７がパネル体１１に突き当たることによって、開方向への回動範囲が規制される。パネル体１１の外側面１１ｇは、表皮材１４およびクッション材１３からなる表層部１９により形成されているため、パネル固定部材７７よりも軟質であり、かつ弾性を有する。したがって、サイドパネル７０を開方向に回動させ、パネル固定部材７７がパネル体１１に突き当たったときの衝撃をパネル体１１の表層部１９で吸収することができる。
【００５９】
また、図２に示すように、サイドパネル７０が開状態位置Ｐ１にあるときには、間仕切り部１０の側部直線状部１０ｃ，１０ｃの前方が開放される。これにより、間仕切り部１０および天板６０の前方の空間Ｓ１に対し、側方から出入りするための動線Ｍが容易に確保される。
サイドパネル７０が閉状態位置Ｐ２にあるときには、天板６０に対向する利用者Ｕからみると、両側方がサイドパネル７０によって仕切られるので、天板６０の前方の空間Ｓ１および天板６０上の空間Ｓ２における、幅方向側方からの視線や光、音等を遮断あるいは緩和することができる。
【００６０】
上述したような構成によれば、間仕切り部１０は、床面上に立てた状態で設置されるパネル体１１およびパネル本体７１と、パネル体１１に対し、パネル本体７１を、パネル体１１の外側面１１ｇに沿う開状態位置Ｐ１とパネル体１１の外側面１１ｇから離間する方向に展開する閉状態位置Ｐ２との間で相対的に回動可能に連結するヒンジ部材７２と、を備える。パネル体１１は、外側面１１ｇを形成する表層部１９が、パネル本体７１側において表層部１９に突き当たる部位であるパネル固定部材７７よりも軟質な材料で形成されている。
これにより、パネル本体７１がパネル体１１に沿う開状態位置Ｐ１に向かって相対的に回動し、パネル体１１の表層部１９にパネル本体７１側のパネル固定部材７７が突き当たった際の衝撃を抑えることができる。その結果、パネル本体７１を回動させたときに衝撃や騒音が生じるのを抑えることが可能となる。
また、パネル本体７１側のパネル固定部材７７が突き当たるときの衝撃を表層部１９で抑えることによって、表層部１９を硬質な材料で形成して前記衝撃を抑えない構成に比較すると、ヒンジ部材７２に要求される強度が低くて済む。したがって、ヒンジ部材７２を簡便でありながら、パネル体１１とパネル本体７１とを強固に連結することが可能となる。
【００６１】
また、パネル体１１の表層部１９に突き当たるのは、サイドパネル７０のパネル固定部材７７である。よって、サイドパネル７０のパネル本体７１自体がパネル体１１に突き当たり、パネル本体７１が損傷したりすることを抑制することができる。
【００６２】
また、ヒンジ部材７２は、パネル体１１の側端部１１ｔに設けられた溝２５内に、コーナーキャップ４０を介して固定されている。これにより、ヒンジ部材７２をパネル体１１に容易かつ確実に固定することができる。また、パネル体１１に対するヒンジ部材７２の固定部位が露出するのを抑えることができ、外観を向上させることができる。
【００６３】
さらに、ヒンジ部材７２は、パネル体１１に対してパネル本体７１を回動自在に支持する支持軸８１を備え、支持軸８１は、溝２５の外方であって、溝２５とパネル体１１の外側面１１ｇとの間に配置されている。このように構成することで、パネル体１１の外側面１１ｇと溝２５との間に、厚みを持った表層部１９を備えたパネル体１１において、溝２５にヒンジ部材７２を固定した構成であっても、パネル本体７１を、表層部１９と干渉することなく、パネル体１１の外側面１１ｇに沿う開状態位置Ｐ１と、閉状態位置Ｐ２との間で回動させることができる。
【００６４】
また、支持軸８１は、パネル体１１の側端部１１ｔに近接して配置されている。このように構成することで、支持軸８１とパネル体１１の側端部１１ｔとの隙間を小さくすることができる。これにより、パネル体１１とパネル体本体７１との連結部分の体裁を向上させることができる。また、支持軸８１とパネル体１１の側端部１１ｔとの隙間に物品等が挟まるのを抑えることができる。
【００６５】
さらに、パネル本体７１は、透光性を有する材料で形成することによって、パネル本体７１の一方側および他方側において、明るさを確保しつつ、視線を遮ることができる。
【００６６】
また、パネル体１１は、パネル基材１２と、表層部１９と、を備え、表層部１９は、パネル本体７１側の部位よりも軟質な材料で形成されたクッション材１３と、クッション材１３を覆う表皮材１４と、を有する。このように構成することで、パネル本体７１側よりも軟質な表層部１９を容易に形成することができる。また表皮材１４の色彩や質感を選択することで、使用者の好みに合わせたパネル体１１を形成することができる。
【００６７】
また、上述したような構成のブース型什器１によれば、上記したような間仕切り部１０と、パネル体１１の内側面１１ｆ側において、パネル体１１の高さの中間部に設けられた天板６０と、を備える。このように構成することで、天板６０を、例えばデスクやカウンター、物品を収納したり展示したりする台等として用いることができる。
【００６８】
さらに、パネル体１１は、天板６０に利用者Ｕが対向する前端部６０ｆ以外の外周部である後端部６０ｒおよび側端部６０ｓ，６０ｓを取り囲むように設けられ、パネル本体７１は、天板６０の前端部６０ｆの前方の空間Ｓ１を仕切る閉状態位置Ｐ２と、開状態位置Ｐ１との間で、回動可能とされている。
このように構成することで、パネル体１１によって間仕切り部１０の一方の側と他方の側とで空間を区画し、天板６０上に、周囲から比較的閉鎖されて音や光が侵入するのを抑えた空間Ｓ２を形成することができる。さらに、開状態位置Ｐ１と閉状態位置Ｐ２との間で回動可能なパネル本体７１によって、天板６０の前方の空間Ｓ１の側方を開閉自在に仕切ることが可能となる。これにより、天板６０の前方の空間Ｓ１に出入りするための動線Ｍを容易に確保することができる。また、天板６０の前方の空間Ｓ１への光や音の進入度合いを、利用者Ｕの好みで調整することが可能となる。
【００６９】
（その他の実施形態）
なお、本発明の間仕切り装置は、図面を参照して説明した上述の実施形態に限定されるものではなく、その技術的範囲において様々な変形例が考えられる。
例えば、パネル本体７１が閉状態位置Ｐ２から開状態位置Ｐ１に向かって相対的に回動したときに、パネル本体７１側でパネル本体７１を支持するパネル固定部材７７が表層部１９に突き当たるようにしたが、これに限らない。表層部１９に突き当たるパネル本体７１側の部位は、例えばパネル本体７１自体であってもよいし、パネル本体７１の先端部に、表層部１９に突き当たるパッド等を設けても良い。
【００７０】
また、上記実施形態では、間仕切り部１０の幅方向両側にサイドパネル７０を備えるようにしたが、少なくとも幅方向一方を回動可能なサイドパネル７０とし、幅方向他方は、固定されたパネルや壁等によって閉塞するようにしても良い。
【００７１】
また、ブース型什器１を構成する間仕切り部１０の平面形状は、上記したような背部直線状部１０ａ、側部湾曲部１０ｂ，１０ｂ、側部直線状部１０ｃ，１０ｃを有するものに限らない。例えば、平面視コ字状、Ｕ字状、半円弧状、Ｌ字状等としてもよい。
【００７２】
また、間仕切り部１０を構成するパネル体１１に対し、サイドパネル７０に代えて、他のパネル体１１やその他のパネルを回動自在に連結するようにしてもよい。
さらに、ブース型什器１に限らず、他の間仕切り装置においても、上記と同様の構成を適用することが可能である。
【００７３】
また、上記実施形態では、パネル体１１の構造を示したが、いかなる構造のものであってもよい。例えば、上記実施形態で示したような、クッション材１３および表皮材１４からなる表層部１９は、パネル基材１２の両面に形成するとは限らず、パネル基材１２の一面側にのみ形成するようにしてもよい。
【００７４】
加えて、上記実施形態では、クッション材１３、表皮材１４を備えるようにしたが、これらは必須の構成ではない。クッション材１３、表皮材１４を備えず、サイドパネル７０側よりも軟質な材料のみでパネル体１１の表皮部を形成してもよい。そのような軟質な材料としては、例えば、ゴム系材料、軟質樹脂材料等の他、フェルト、不織布等を用いることができる。
【００７５】
また、上記実施形態では、第二の位置として、サイドパネル７０が間仕切り部１０の側部直線状部１０ｃの延長線上に位置する閉状態位置Ｐ２にある場合を例に挙げて説明したが、本発明はこれに限られない。第二パネル体が第一パネル体の一方の側面から少なくとも離間するする位置まで回動可能な構成であればよく、サイドパネル７０が閉状位置Ｐ２よりもさら回動してもよく、あるいは閉状位置Ｐ２まで回動しなくてもよい。
これ以外にも、本発明の主旨を逸脱しない限り、上記実施の形態で挙げた構成を取捨選択したり、他の構成に適宜変更したりすることが可能である。
【符号の説明】
【００７６】
１  ブース型什器（什器）
１０  間仕切り部（間仕切り装置）
１１  パネル体（第一パネル体）
１１ｆ  内側面（他方の側面）
１１ｇ  外側面（一方の側面）
１１ｔ  側端部
１２  パネル基材（基材）
１３  クッション材（軟性材）
１４  表皮材
１９  表層部
２５  溝
６０  天板
６０ｆ  前端部
６０ｒ  後端部（外周部）
６０ｓ  側端部（外周部）
７０  サイドパネル
７１  パネル本体（第二パネル体）
７２  ヒンジ部材（連結部）
７５  軸受部材
７７，７８  パネル固定部材
８１  支持軸
Ｐ１  開状態位置（第一の位置）
Ｐ２  閉状態位置（第二の位置）
Ｕ  利用者
【図１】
0006395306.tif 000002
【図２】
0006395306.tif 000003
【図３】
0006395306.tif 000004
【図４】
0006395306.tif 000005
【図５】
0006395306.tif 000006